(57)【要約】ループの形状が崩れることなく、編目のバランスのとれた片畦組織を有する編地の編成方法を提供する。片畦組織は、１本おきの針で、ニットループ及びタックループが形成される第１ウェールと、ニットループのみが形成される第２ウェールとが交互に形成される。第１ウェールのニットループを前針床（ＦＢ）に付属させ、第２ウェールのニットループを後針床（ＢＢ）に付属させる。第１ウェールのニットループを後針床（ＢＢ）の対向する空針に目移しする。後針床（ＢＢ）において第２ウェールの編目を形成し、第１ウェールのニットループが掛けられている後針床（ＢＢ）の針と対向する前針床（ＦＢ）の針においてタックループを形成し、この針に隣接する針において掛け目を行い、この掛け目を針から外す。タックループが掛けられている前針床（ＦＢ）の針に、後針床（ＢＢ）の針に掛けられている第１ウェールのニットループを目移しする。
2004079070.tif 000002
【特許請求の範囲】
【請求項１】
左右方向に延び、かつ、前後方向に互いに対向する少なくとも前後一対の針床（ＦＢ，ＢＢ）を有し、前後の針床間で編目の目移しが可能な横編機を用い、１本おきの針で、ニットループ及びタックループが形成される第１ウェールと、ニットループのみが形成される第２ウェールとが交互に形成される片畦組織を有する編地を編成することを特徴とする編成方法であって、以下のステップを含む。
１）第１ウェールのニットループを一方の針床（ＦＢ）に付属させ、第２ウェールのニットループを他方の針床（ＢＢ）に付属させて、前記第１ウェールのニットループを他方の針床（ＢＢ）の対向する空針に目移しを行う第１ステップ、
２）他方の針床（ＢＢ）において第２ウェールの編目を形成し、第１ウェールのニットループが掛けられている他方の針床（ＢＢ）の針と対向する一方の針床（ＦＢ）の針においてタックループを形成するとともに、このタックループを形成する針に隣接する針のうち少なくとも一本の針において掛け目を行う第２ステップ、
３）掛け目を針から外す第３ステップ、
４）タックループが掛けられている一方の針床（ＦＢ）の針に、他方の針床（ＢＢ）の針に掛けられている第１ウェールのニットループを目移しする第４ステップ、
５）一方の針床（ＦＢ）の針に掛けられている第１ウェールのタックループとニットループに続けて編目を形成するとともに、この第１ウェールを形成する針に隣接する針のうち少なくとも一本の針において掛け目を行い、他方の針床（ＢＢ）の針において第２ウェールの編目を形成する第５ステップ、
６）掛け目を針から外す第６ステップ。
【請求項２】
請求の範囲第１項の第６ステップの後に、請求の範囲第１項の第１ステップから第６ステップを繰り返すことを特徴とする請求の範囲第１項に記載の編地の編成方法。
【請求項３】
前側編地と後側編地を有し、前後の編地の少なくとも一方に片畦組織を有する筒状編地を請求の範囲第１項または請求の範囲第２項に記載の編地の編成方法で編成するのであって、
前記第１ステップは、前側編地または後側編地の少なくとも片畦組織を有する部分について前記第１ウェールと第２ウェールのニットループの全てを対向する針床の空針に目移しを行い、
前記第５ステップは、前側編地または後側編地の少なくとも片畦組織を有する部分について、第２ウェールのニットループを対向する針床の空針に目移しを行って、この針床の針において第２ウェールの編目を形成し、第１ウェールのタックループとニットループに続けて編目を形成するとともに、この第１ウェールを形成する針に隣接する針のうち少なくとも一本の針において掛け目を行うことを特徴とする。
【請求項４】
請求の範囲第３項に記載の編地の編成方法は、以下のステップを含むことを特徴とする。
１）前側編地の第１ウェールのニットループと第２ウェールのニットループとを一方の針床（ＦＢ）に付属させ、後側編地の第１ウェールのニットループと第２ウェールのニットループとを他方の針床（ＢＢ）に付属させた状態で、前側編地について前記第１ウェールと第２ウェールのニットループの全てを他方の針床（ＢＢ）の対向する空針に目移しを行う第１ステップ、
２）前側編地について、他方の針床（ＢＢ）において第２ウェールの編目を形成し、第１ウェールのニットループが掛けられている他方の針床（ＢＢ）の針と対向する一方の針床（ＦＢ）の針においてタックループを形成するとともに、このタックループを形成する針に隣接する針のうち少なくとも一本の針において掛け目を行う第２ステップ、
３）前側編地について、一方の針床（ＦＢ）の掛け目を針から外す第３ステップ、
４）前側編地について、タックループが掛けられている一方の針床（ＦＢ）の針に、他方の針床（ＢＢ）の針に掛けられている第１ウェールのニットループを目移し、第２ウェールのニットループを対向する一方の針床（ＦＢ）の針に目移しをする第４ステップ、
５）後側編地について第１ウェールと第２ウェールのニットループの全てを一方の針床（ＦＢ）の対向する空針に目移しを行う第５ステップ、
６）後側編地について、一方の針床（ＦＢ）において第２ウェールの編目を形成し、第１ウェールのニットループが掛けられている一方の針床（ＦＢ）の針と対向する他方の針床（ＢＢ）の針においてタックループを形成するとともに、このタックループを形成する針に隣接する針のうち少なくとも一本の針において掛け目を行う第６ステップ、
７）後側編地について、他方の針床（ＢＢ）の掛け目を針から外す第７ステップ、
８）後側編地について、タックループが掛けられている他方の針床（ＢＢ）の針に、一方の針床（ＦＢ）の針に掛けられている第１ウェールのニットループを目移し、第２ウェールのニットループを対向する他方の針床（ＢＢ）の針に目移しをする第８ステップ、
９）前側編地について、第２ウェールのニットループを他方の針床（ＢＢ）の対向する空針に目移しを行って、この他方の針床（ＢＢ）の針において第２ウェールの編目を形成し、一方の針床（ＦＢ）の針に掛けられている第１ウェールのタックループとニットループに続けて編目を形成するとともに、この第１ウェールを形成する針に隣接する針のうち少なくとも一本の針において掛け目を行う第９ステップ、
１０）前側編地について、一方の針床（ＦＢ）の掛け目を針から外す第１０ステップ、
１１）前側編地について、第２ウェールのニットループを対向する一方の針床（ＦＢ）の針に目移しをする第１１ステップ、
１２）後側編地について、第２ウェールのニットループを一方の針床（ＦＢ）の対向する空針に目移しを行って、この一方の針床（ＦＢ）の針において第２ウェールの編目を形成し、他方の針床（ＢＢ）の針に掛けられている第１ウェールのタックループとニットループに続けて編目を形成するとともに、この第１ウェールを形成する針に隣接する針のうち少なくとも一本の針において掛け目を行う第１２ステップ、
１３）後側編地について、他方の針床（ＢＢ）の掛け目を針から外す第１３ステップ、
１４）後側編地について、第２ウェールのニットループを対向する他方の針床（ＢＢ）の針に目移しをする第１４ステップ。
【請求項５】
請求の範囲第４項の第１４ステップの後に、請求の範囲第４項の第１ステップから第１４ステップを繰り返すことを特徴とする請求の範囲第４項に記載の編地の編成方法。
【発明の詳細な説明】
【技術分野】  本発明は、ゲージを粗くした片畦組織の編地の編成方法を提供するものである。
【背景技術】  第５図に示す編地は、片畦（ハーフカーディガン）の編組織を解りやすくしたものを示している。第５図は片畦編組織の表面を示しており、裏目のタックループとニットループにより形成される第１ウェールａと表目のニットループで形成される第２ウェールｂとが交互に形成されている。
第５図においては、第１ウェールａのニットループは第２ウェールｂのニットループの２コース分の高さを有している。第１ウェールａでは、ニットループとタックループとが重ね合わされた状態になっている。
このような片畦組織を編成する場合に、編目を大きくする編成方法としては、針床の針を１本置きに使用することにより粗いゲージの編地を編成することができる。例えば、５ゲージの編機では５ゲージの風合いの編地が得られるが、１本置きの針を使って編むことにより風合いの粗い編地が得られる。なお、針を１本置きに使用して編地のゲージを粗くする方法としては、例えば特開平１１−１８９９５４号公報に記載されている。
このように針抜き編成により編地の目を粗くすると、同じ編機で編成しても太い糸での編成が可能となり、同じ片畦組織であっても異なる風合いの編地を提供できる。
編目を形成する際に隣接する編目同士の間にあって編成に関与しない空針を使い、コース編成の際に編目ループを形成するとともに、この空針にも掛け目を行った後、針からこの掛け目を払うことでコース編成の際に形成された編目を粗くすることができる。このような編み方は、俗称ドロップ編みと呼ばれている。１本置きの針とこのドロップ編みを併用すれば編目をさらに大きく編むことができる。
第６図及び第７図は、片畦組織を１本置きの針による編成と、ドロップ編みとを併用したときの編成方法を示す。なお、この編成により得られる表面の編地は、第５図の裏面側の編地が現れる。
第６図及び第７図は、前後の針床ＦＢ，ＢＢを有する横編機で筒状に編地を編成するものであり、前針床ＦＢで片畦組織の前側編地が後針床ＢＢで片畦組織の後側編地が形成されていく場合の編成工程図である。
まず、第６図（１）は、前側編地のニットループを前針床ＦＢの編針に、後側編地のニットループを後針床ＢＢの編針に掛けた状態を示している。この状態から、まず前側編地の編成を１コース行う。第６図（２）に示すように、前針床ＦＢの編針に掛かっているループのうち、第５図の第２ウェールを形成するためのニットループについて、後針床ＢＢの空針に目移しを行う。このとき、第５図の第１ウェールを形成するためのニットループは、前針床ＦＢに残されている。
そして、前針床ＦＢの編針Ｂで第１ウェールのタックループを形成すると同時に、針Ｂの両隣の空針Ａで掛け目をし、後針床ＢＢに目移ししたニットループが掛かっている針Ｃで第２ウェールの編目を形成する（第６図（３））。第６図（３）の状態から、針Ｂの両隣の空針Ａの掛け目を外した後（第６図（４））、後針床ＢＢの針Ｃに掛かっているニットループを前針床ＦＢの針に戻し、第６図（５）の状態にする。
そして、次に後側編地について１コース編成する。第６図（６）に示すように、後針床ＢＢの編針に掛かっているループのうち、第５図の第２ウェールを形成するためのニットループについて、前針床ＦＢの空針に目移しを行う。このとき、第５図の第１ウェールを形成するためのニットループは、後針床ＢＢに残されている。
そして、後針床ＢＢの編針Ｅで第１ウェールのタックループを形成すると同時に、針Ｅの両隣の空針Ｃ，Ｄで掛け目をし、前針床ＦＢに目移ししたニットループが掛かっている針Ａで第２ウェールの編目を形成する（第６図（７））。第６図（７）の状態から、針Ｅの両隣の空針Ｃ，Ｄの掛け目を外した後（第６図（８））、前針床ＦＢの針Ａに掛かっているニットループを後針床ＢＢの針に戻し、第６図（９）の状態にする。
次に、前側編地の編成に移り、第７図（１０）に示すように、前針床ＦＢの第２ウェールのニットループを後針床ＢＢの空針Ｃに目移しした後、この針Ｃでニットループを形成するとともに、前側編地について針Ｂで第１ウェールのニットループを形成するとともに、針Ｂの両隣の空針Ａで掛け目をする。
そして、第７図（１１）に示すように、空針Ａから掛け目を外した後、後針床ＢＢの針Ｃに掛かっているニットループを前針床ＦＢの編針に目移しして第７図（１２）の状態にする。
次に、後側編地の編成に移り、第７図（１３）に示すように、後針床ＢＢの第２ウェールのニットループを前針床ＦＢの空針Ａに目移しした後、この針Ａでニットループを形成するとともに、後側編地について針Ｅで第１ウェールのニットループを形成するとともに、針Ｅの両隣の空針Ｃ，Ｄで掛け目をする。
そして、第７図（１４）に示すように、空針Ｃ，Ｄから掛け目を外した後、前針床ＦＢの針Ａに掛かっているニットループを後針床ＢＢの編針に目移しして第７図（１５）の状態にする。
このようにして、第６図（１）〜第７図（１５）に示す編成を繰り返すことより、第５図に示す片畦組織を編目を粗くして編成できる。即ち、第６図（３）（７）、第７図（１０）（１３）における空針の掛け目がドロップ部分、即ち、ニットループおよびタックループの大きさを大きくするための長さ調整部分となる。この掛け目により、編成されたタックループおよびニットループのループ長を長くすることができる。
ところで、第６図および第７図に示す従来の片畦組織の編成では、タックループを形成する際、タックループはその前に針Ｂで形成された第１ウェールのニットループと重なった状態となっている。また、掛け目は第１ウェールのタックループや第２ウェールのニットループに連続している。
そのため、タックループを形成する際の掛け目は、掛け目を外した際にタックループがこのニットループに接触しているので糸の滑りが悪く、このドロップ部分の糸が周りのループに吸収されにくくなる。
その結果、第１ウェールと第２ウェールとの間のシンカーループの長さが部分的に長くなったりして、各編目のバランスが崩れて美しい編地が形成できないという問題が生ずる。また、次の目移しや編成が困難になるという問題もある。
さらに、１本の針のみに掛け目をする場合には、タックループを形成する針に対して一方の空針で掛け目を行い、反対側の針では掛け目を行わないので、特に編地バランスが悪くなる。
本発明は以上の実情に鑑みて開発したものであって、針抜きで、かつ、掛け目をしながら片畦組織の編地の編成を行う編成方法であっても、ループの形状が崩れることなく、編目のバランスのとれた編地を提供することができる編成方法を提供することを目的とする。
【発明の開示】
本発明の編地の編成方法は、左右方向に延び、かつ、前後方向に互いに対向する少なくとも前後一対の針床を有し、前後の針床間で編目の目移しが可能な横編機を用い、１本おきの針で、ニットループ及びタックループが形成される第１ウェールと、ニットループのみが形成される第２ウェールとが交互に形成される片畦組織を有する編地を編成することを特徴とする編成方法であって、以下のステップを含む。
１）第１ウェールのニットループを一方の針床に付属させ、第２ウェールのニットループを他方の針床に付属させて、前記第１ウェールのニットループを他方の針床の対向する空針に目移しを行う第１ステップ。
２）他方の針床において第２ウェールの編目を形成し、第１ウェールのニットループが掛けられている他方の針床の針と対向する一方の針床の針においてタックループを形成するとともに、このタックループを形成する針に隣接する針のうち少なくとも一本の針において掛け目を行う第２ステップ。
３）掛け目を針から外す第３ステップ。
４）タックループが掛けられている一方の針床の針に、他方の針床の針に掛けられている第１ウェールのニットループを目移しする第４ステップ。
５）一方の針床の針に掛けられている第１ウェールのタックループとニットループに続けて編目を形成するとともに、この第１ウェールを形成する針に隣接する針のうち少なくとも一本の針において掛け目を行い、他方の針床の針において第２ウェールの編目を形成する第５ステップ。
６）掛け目を針から外す第６ステップ。
さらに、前記第６ステップの後に、前記第１ステップから第６ステップを繰り返すことにより、複数コースで編成された片畦組織を編成することができる。
前記した第１ステップから第６ステップの編成は、片畦組織を編成する場合の基本となる編成方法であり、この編成方法により、平面状の編地や筒状の編地を編成することができるが、筒状編地を連続編成する場合については次のように編成することがより好ましい。
前側編地と後側編地を有し、前後の編地の少なくとも一方に片畦組織を有する筒状編地を前記した編成方法のステップで編成するのであって、前記第１ステップは、前側編地または後側編地の少なくとも片畦組織を有する部分について前記第１ウェールと第２ウェールのニットループの全てを対向する針床の空針に目移しを行うようにする。
また、前記第５ステップは、前側編地または後側編地の少なくとも片畦組織を有する部分について、第２ウェールのニットループを対向する針床の空針に目移しを行って、この針床の針において第２ウェールの編目を形成し、第１ウェールのタックループとニットループに続けて編目を形成するとともに、この第１ウェールを形成する針に隣接する針のうち少なくとも一本の針において掛け目を行うようにする。
具体的には、以下のステップを含むように編成することが好ましい。
１）前側編地の第１ウェールのニットループと第２ウェールのニットループとを一方の針床に付属させ、後側編地の第１ウェールのニットループと第２ウェールのニットループとを他方の針床に付属させた状態で、前側編地について前記第１ウェールと第２ウェールのニットループの全てを他方の針床の対向する空針に目移しを行う第１ステップ。
２）前側編地について、他方の針床において第２ウェールの編目を形成し、第１ウェールのニットループが掛けられている他方の針床の針と対向する一方の針床の針においてタックループを形成するとともに、このタックループを形成する針に隣接する針のうち少なくとも一本の針において掛け目を行う第２ステップ。
３）前側編地について、一方の針床の掛け目を針から外す第３ステップ。
４）前側編地について、タックループが掛けられている一方の針床の針に、他方の針床の針に掛けられている第１ウェールのニットループを目移し、第２ウェールのニットループを対向する一方の針床の針に目移しをする第４ステップ。
５）後側編地について第１ウェールと第２ウェールのニットループの全てを一方の針床の対向する空針に目移しを行う第５ステップ。
６）後側編地について、一方の針床において第２ウェールの編目を形成し、第１ウェールのニットループが掛けられている一方の針床の針と対向する他方の針床の針においてタックループを形成するとともに、このタックループを形成する針に隣接する針のうち少なくとも一本の針において掛け目を行う第６ステップ。
７）後側編地について、他方の針床の掛け目を針から外す第７ステップ。
８）後側編地について、タックループが掛けられている他方の針床の針に、一方の針床の針に掛けられている第１ウェールのニットループを目移し、第２ウェールのニットループを対向する他方の針床の針に目移しをする第８ステップ。
９）前側編地について、第２ウェールのニットループを他方の針床の対向する空針に目移しを行って、この他方の針床の針において第２ウェールの編目を形成し、一方の針床の針に掛けられている第１ウェールのタックループとニットループに続けて編目を形成するとともに、この第１ウェールを形成する針に隣接する針のうち少なくとも一本の針において掛け目を行う第９ステップ。
１０）前側編地について、一方の針床の掛け目を針から外す第１０ステップ。
１１）前側編地について、第２ウェールのニットループを対向する一方の針床の針に目移しをする第１１ステップ。
１２）後側編地について、第２ウェールのニットループを一方の針床の対向する空針に目移しを行って、この一方の針床の針において第２ウェールの編目を形成し、他方の針床の針に掛けられている第１ウェールのタックループとニットループに続けて編目を形成するとともに、この第１ウェールを形成する針に隣接する針のうち少なくとも一本の針において掛け目を行う第１２ステップ。
１３）後側編地について、他方の針床の掛け目を針から外す第１３ステップ。
１４）後側編地について、第２ウェールのニットループを対向する他方の針床の針に目移しをする第１４ステップ。
そして、前記筒状編地の編成方法において、第１４ステップの後に、第１ステップから第１４ステップを繰り返すことで、前後の編地に複数コースで編成された片畦組織を有する筒状編地を形成できる。
以上のように、本発明は、一方の針床の編針に掛けられている第１ウェールのニットループを全て他方の針床に目移ししておいて、一方の針床の空針でタックループおよび掛け目を形成し、この掛け目を払ってドロップ編みをすることに特徴を有する。なお、本発明では、編目を形成する際に隣接する編目同士の間にあって編成に関与しない空針を使い、コース編成の際に編目ループを形成するとともに、この空針にも掛け目を行った後、針からこの掛け目を払うことでコース編成の際に形成された編目を粗くする編み方をドロップ編みと呼ぶ。
タックループを形成する針に隣接する針のうち少なくとも一本の針において掛け目を行うとは、例えば、同じ針床においては隣合う針をいう。
本発明では、第１ウェールのニットループ（オールドループ）に重ならないように、第１ウェールのタックループおよび掛け目を形成できるので、第２ウェールにニットループを形成した後に、掛け目を針から外しても、タックループと掛け目とは、タックループの前に編成されているオールドループに接触することが無い。
即ち、掛け目の目外しを行ったとき、タックループが掛けられている針は空針となっていたので、この針のフック内で糸は滑り易く、容易に編地が下へと下がる。即ち、タックループを針で支持しながら、針から外された掛け目部分はタックループや第２ウェールのニットループにバランス良く吸収される。その結果、タックループは、タックループが掛けられている針から第２ウェールのニットループが掛けられる針までの左右の糸の長さのバランスが良くなる。
そして、このようにタックループの長さのバランスがとられた状態で、第１ウェールのニットループを他方の針床から一方のタックループが掛けられている針に戻すことにより、第１ウェールは、タックループとニットループとが重ね合わされた状態とになる。
第１ウェールにおいてこのようにタックループを形成することにより、このタックループを、常にバランスの取れたループ長の長いタックループに形成することができるし、周辺のニットループのバランスもよくなる。
掛け目は、ドロップさせる量（ニットループやタックループの大きさ）に応じて、タックループを形成する針の左右両方で行ってもよいし、どちらか一方で行ってもよい。ドロップ量の調整でループのループ長の調整が行える。
【図面の簡単な説明】  第１図は、本発明にかかる片畦組織を有する編地の編成方法の編成工程図、
第２図は、第１図に続く片畦組織を有する編地の編成方法の編成工程図、
第３図は、第２図に続く片畦組織を有する編地の編成方法の編成工程図、
第４図は、第３図に続く片畦組織を有する編地の編成方法の編成工程図、
第５図は、片畦組織の部分平面図、
第６図は、従来の片畦組織を有する編地の編成方法の編成工程図、
第７図は、第６図に続く従来の片畦組織を有する編地の編成方法の編成工程図を示している。
【発明を実施するための最良の形態】  以下、本発明にかかる編地の編成方法についての実施形態を図面に基づいて説明する。
本実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いて無縫製の筒状編地を編成する。
２枚ベッドの横編機は、筒状編地を編成する場合、前後の各針床（ベッド）においてそれぞれ１本おきの針を用いて編成を行うようにしている。例えばニットウェアを編成する場合、前針床の奇数番目の針を主として前側編地の編地を編成するために用い、後針床の偶数番目の針を主として後側編地の編地を編成するために用いる。
さらに、前後の針床は、一方の針床の編成用に用いられる針に対向する他方の針床の針を空針としており、この空針を目移しやリブ編み等を行うために用いることにより、片畦組織などの組織柄を編成することができる。
また、２枚ベッドの横編機を用いる場合、前後針床の一方または両方の上位にトランスファージャックを列設したトランスファージャックベッドを設けて編地を編成するようにしてもよい。
なお、本実施形態では、２枚ベッドの横編機を用いて編地を編成するようにしているが、本発明は、上部前針床、下部前針床、上部後針床、そして下部後針床からなる４枚ベッドの横編機を用いて編成することもできる。
４枚ベッドの横編機を用いる場合には、例えば、下部前針床に前側編地を付属させ、下部後針床に後側編地を付属させるとともに、上部後針床を前側部分の編地を編成する際の空針として前側部分の編地の目移し等に用い、上部前針床を後側部分の編地を編成する際の空針として後側部分の編地の目移し等に用いる。
本実施形態は、上記２枚ベッドの横編機を用いて、前側編地と後側編地に目の粗い片畦組織を有する筒状編地がシームレスに編成される。
本発明の実施形態について、第１図から第４図に基づいて説明する。第１図から第４図は、本発明の編成方法の編成工程図を示す。この編成工程図は、前後の針床ＦＢ，ＢＢを有する横編機で筒状に編地を編成する場合を示し、１本おきの針で、ニットループ及びタックループが形成される第１ウェールと、ニットループのみが形成される第２ウェールとが交互に形成される片畦組織を有する編地を編成する。なお、本実施形態で編成される編地の表面は、第５図の片畦組織の裏側の面が現れる。
本実施形態にかかる編地の編成方法について具体的に説明する。まず、第１図（１）は、前側編地のニットループを前針床ＦＢの編針に、後側編地のニットループを後針床ＢＢの編針に掛けた状態を示している。この状態から、第１図（２）に示すように、前針床ＦＢの編針に掛かっている全てのニットループについて、後針床ＢＢの空針に目移しを行い、第１図（３）の状態にする（第１ステップ）。
そして、第１図（４）に示すように、後針床ＢＢの空針に目移しされたニットループのうち、第２ウェールのニットループ（針Ｃに掛かるニットループ）に続けて、この後針床ＢＢにおいてニットループを形成する。それと同時に、第１ウェールのニットループが掛けられている後針床ＢＢの針Ｄと対向する前針床ＦＢの針Ｂにおいてタックループを形成するとともに、この針Ｂの両隣の針Ａにおいて掛け目を行う（第２ステップ）。
次に、第１図（５）に示すように、針Ｂにタックループを掛けたまま、針Ａから掛け目を外す（第３ステップ）。これら掛け目を針Ａから外すことにより、針Ｂに掛けられるタックループは、針Ｂから針Ｃまでの長さが両側で同じ長さとなる。
そして、空針Ａの掛け目がドロップ部分、即ち、タックループおよび周辺のニットループの長さ調整部分となる。このように掛け目をして、それを外すことにより、編目ループ長を長く、しかもバランスの良いループ形状にすることができる。
そして、第１図（６）に示すように、後針床ＢＢに掛けられている前側編地のニットループを全て前針床ＦＢに目移しする。この目移しにより、前側編地のニットループの全てが前針床ＦＢの編針に掛けられ、後側編地のニットループの全てが後針床ＢＢの編針に掛けられた第２図（７）の状態になる。この工程により、タックループが掛けられている前針床ＦＢの針Ｂに、後針床ＢＢの針Ｄに掛けられているニットループが目移されて、第１ウェールのニットループとタックループとが重ね合わされた状態となる。
次に後側編地について１コース編成する。第２図（８）に示すように、後針床ＢＢの編針に掛かっている全てのニットループについて、前針床ＦＢの空針に目移しを行い、第２図（９）の状態にする（第５ステップ）。
そして、第２図（１０）に示すように、前針床ＦＢの空針に目移しされたニットループのうち、第２ウェールのニットループ（針Ａに掛かるニットループ）に続けて、この前針床ＦＢにおいてニットループを形成する。それと同時に、第１ウェールのニットループが掛けられている前針床ＦＢの針Ａと対向する後針床ＢＢの針Ｅにおいてタックループを形成するとともに、この針Ｅの両隣の針Ｃ，Ｄにおいて掛け目を行う（第６ステップ）。
次に、第２図（１１）に示すように、針Ｅにタックループを掛けたまま、針Ｃ，Ｄから掛け目を外す（第７ステップ）。これら掛け目を針Ｃ，Ｄから外すことにより、針Ｅに掛けられるタックループは、針Ｅから針Ａまでの長さが両側で同じ長さとなる。
そして、空針Ｃ，Ｄの掛け目がドロップ部分、即ち、タックループおよび周辺のニットループの長さ調整部分となる。このように掛け目をしてそれを外すことにより、編目ループ長を長く、しかもバランスの良いループ形状にすることができる。
そして、第２図（１２）に示すように、前針床ＦＢに掛けられている後側編地のニットループを全て後針床ＢＢに目移しする。この目移しにより、後側編地のニットループの全てが後針床ＢＢの編針に掛けられ、前側編地のニットループの全てが前針床ＦＢの編針に掛けられた第３図（１３）の状態になる。この工程により、タックループが掛けられている後針床ＢＢの針Ｅに、前針床ＦＢの針Ａに掛けられているニットループが目移されて、第１ウェールのニットループとタックループとが重ね合わされた状態となる（第８ステップ）。
後側編地について１コース編成が終了した後は、前側編地について編成を行う。この編成は、第３図（１４）に示すように、前針床ＦＢの第２ウェールのニットループを後針床ＢＢの空針Ｃに目移しした後、この針Ｃでニットループを形成するとともに、前側編地について針Ｂで第１ウェールのニットループを形成するとともに、針Ｂの両隣の空針Ａで掛け目をする（第９ステップ）。
そして、第３図（１５）に示すように、空針Ａから掛け目を外した後（第１０ステップ）、第３図（１６）に示すように後針床ＢＢの針Ｃに掛かっているニットループを前針床ＦＢの編針に目移しして第３図（１７）の状態にする（第１１ステップ）。
次に、後側編地の編成に移り、第４図（１８）に示すように、後針床ＢＢの第２ウェールのニットループを前針床ＦＢの空針Ａに目移しした後、この針Ａでニットループを形成するとともに、後側編地について針Ｅで第１ウェールのニットループを形成するとともに、針Ｅの両隣の空針Ｃ，Ｄで掛け目をする（第１２ステップ）。
そして、第４図（１９）に示すように、空針Ｃ，Ｄから掛け目を外した後（第１３ステップ）、第４図（２０）に示すように、前針床ＦＢの針Ａに掛かっているニットループを後針床ＢＢの編針に目移しして第４図（２１）の状態にする（第１４ステップ）。
このようにして、第１図（１）〜第４図（２１）に示す編成を繰り返すことより、第５図に示す片畦組織であって編目を粗くした筒状編地を編成できる。なお、前記工程のうち、空針への掛け目がドロップ部分、即ち、ニットループおよびタックループの大きさを大きくするための長さ調整部分となる。
本実施形態の編み方では、無縫製で筒状にニットウェアを編成しているので、片畦組織の裏面側をニットウェアの表面にしてもよいし、編地を裏返して、片畦組織の表面側をニットウェアの表面にしてもよい。
以上のように、本実施形態では、１本置きに針を用いて第１ウェールおよび第２ウェールを形成しながら、掛け目も行っているので、編目の大きい片畦組織の編地を形成することができる。その結果、編目を粗くできる分だけ、さらに太い糸を使用することができ、風合いの異なる編地を提供できる。
本実施形態では、第１ウェールのニットループを、対向する後針床ＢＢの空針に目移ししておくことにより、タックループを空針となっている針Ｂで形成できる。その結果、前述した従来の第１ウェールのように、タックループがニットループに接触しないので、ドロップのための掛け目を針から外したときに、タックループが針Ｂにおいて円滑に滑るので、ドロップ部分が周りのループにバランスよく吸収される。
このように第１ウェールにおいて、糸のバランスが良い状態でタックループを形成した後に、タックループとニットループを重ね合わすので、編地全体としての第１ウェールと第２ウェールのそれぞれの編目を均一にできる。しかも、ドロップ部分の長さを十分にニットループおよびタックループに吸収させることができるので、大きな編目を有する編地を形成することができる。
本実施形態では、タックループを形成する針の両隣の針に掛け目を行ったが、ドロップさせる量（ニットループやタックループのループ長）に応じて、どちらか一方の空針にのみ掛け目を行うようにしてもよい。ドロップ量の調整でループのループ長の調整が行える。なお、上記実施形態では、筒状編地を構成する前後の各編地がそれぞれ片畦組織で編成されるものについて説明したが、編地の一部に片畦組織が編まれる場合でも本発明を実施できるのはいうまでもない。また、筒状編地でない編地（１層）を編む場合には前後針床のいずれかの空針を使えばよい。
【産業上の利用可能性】  以上のごとく本発明によれば、１本置きに第１ウェールと第２ウェールを有するように掛け目をしながら片畦組織の編地を編成する場合であっても、ニットループおよびタックループの形状をバランスよく形成することができ、編地全体として美しい編地を提供できる。また、次の目移しや編成も容易となり、タック目の度目を詰めたい時でも、編目のバランスを良くすることができる。
【符号の説明】
ＦＢ  前針床
ＢＢ  後針床
Ａ，Ｂ，Ｃ，Ｄ，Ｅ  針
【図１】
2004079070.tif 000003
【図２】
2004079070.tif 000004
【図３】
2004079070.tif 000005
【図４】
2004079070.tif 000006
【図５】
2004079070.tif 000007
【図６】
2004079070.tif 000008
【図７】
2004079070.tif 000009
【国際調査報告】
2004079070.tif 000010
2004079070.tif 000011